Podtech/llm-jp-corpus-v4-ja_patent huggingface dataset:
(57)【要約】      （修正有）【課題】水路の水を海や河川に放流するために土手に埋設した管水路の逆流防止蓋が、水圧がかかった時点で密着して水密を確実にする。【解決手段】全体がガラス繊維と合成樹脂からなる水路用逆流防止蓋に於て、円形状の蓋本体１の中央に形成した球面膨化部２の周縁に設けた鍔部３の形状を、端周縁部３ａが、球面膨化部２の球面内側方向に向けて傾斜するような傾斜鍔Ａとした形状として、球面膨化部２の外面に水圧がかかった時点で傾斜鍔Ａが、水路管端面に密着する様にした水路用逆流防止蓋の構造を特徴とした。【選択図】図１
0003105291.tif 000002
【実用新案登録請求の範囲】
【請求項１】
全体がガラス繊維と合成樹脂の強化プラスチックからなる水路用逆流防止蓋に於て、円形状の蓋本体（１）の中央に形成した球面膨化部（２）の周縁に設けた鍔部（３）の形状を、端周縁部（３ａ）が、球面膨化部（２）の球面内側方向に向けて傾斜するような傾斜鍔（Ａ）とした形状として、球面膨化部（２）の外面に水圧がかかった時点で傾斜鍔（Ａ）が、水路管端面に密着する様にしたことを特徴とした水路用逆流防止蓋の構造。
【考案の詳細な説明】
【技術分野】
【０００１】  本考案は、水路の水を海や河川に放流するために土手に埋設した管水路の逆流防止蓋に関する。
【背景技術】
【０００２】  田畑や用水路の余分な水路水を海や河川に放流するために、従来、水路に埋設貫通したヒューム管などの延長線上に位置する水路側の土手斜面部分に、逆流防止の蓋を蝶着する考案については、すでに提案されている。（例えば、特許文献１を参照）
【特許文献１】実用新案登録第３０５２０９５号
【考案の開示】
【考案が解決しようとする課題】
【０００３】  然しながら、強化プラスチック製である特許文献１の逆流防止蓋は、ガラス繊維と合成樹脂からなるので、合成樹脂は、製造過程で硬化する時、体積が若干縮小するので、製品になるとひずみが出来て、図２のように蓋周縁の鍔部（３）の端周縁部（３ａ）が球面膨化側に跳ね上がってしまい、使用に当たって、鍔部（３）は鍔接触面とは線接触となり、管端面と密着せずに蓋板としての水密が保たれない問題点がある。
【課題を解決するための手段】
【０００４】  本考案は、鍔部（３）と管端面が面接触となり、密着して蓋板としての水密を保つようにしたもので、円形状の蓋本体（１）の中央に形成した球面膨化部（２）の周縁に設けた鍔部（３）の形状を、端周縁部（３ａ）が、球面膨化部（２）の球面内側方向に向けて傾斜するような傾斜鍔（Ａ）とした形状として、球面膨化部（２）の外面に水圧がかかった時点で傾斜鍔（Ａ）が、水路管端面に密着する様にしたことを特徴とし、これにより、上記課題を解決するものである。
【考案の効果】
【０００５】  本考案は、蓋本体（１）の球面膨化部（２）の周縁に設けた鍔部（３）の形状を、球面内側方向に向けて傾斜するような傾斜鍔（Ａ）とした形状としたので、成型後もひずみによって端周縁部が跳ね上がることがないから、蓋本体（１）が水路管を塞ぐ時、水圧がかかる時点で、水路管端面との接触は線状とならずに、鍔部（３）が水路管端面に面接触で密着して水密性が保たれ、水流を確実に遮断する効果がある。
【考案を実施するための最良の形態】
【０００６】  本考案の蓋本体（１）を製造するに当たって、強化プラスチックの成分である合成樹脂は、硬化する場合に変形するので、鍔部（３）の端周縁部（３ａ）が跳ね上がって図２のようになり、使用時には水路管端面との間で線接触となり水密性が保たれない。【０００７】  そこで、本考案では、円形状の蓋本体（１）の中央に形成した球面膨化部（２）の周縁に設けた鍔部（３）の形状を、予め、端周縁部（３ａ）が、球面膨化部（２）の球面内側方向に向けて傾斜するような傾斜鍔（Ａ）とした形状として、製造過程で合成樹脂が硬化する時変形して端周縁部（３ａ）が跳ね上がろうとしても、傾斜した傾斜鍔（Ａ）の形状が保たれ、球面膨化部（２）の外面に水圧がかかった時点で傾斜鍔（Ａ）が、水路管端面に面接触で密着したことを特徴とし、水密性が保たれ、水流を確実に遮断する。
【図面の簡単な説明】
【０００８】
【図１】は、本考案の一部断面とした全体の側面図である。
【図２】は、従来のひずみを生じた鍔部の断面図である。
【図３】は、水圧のかかった使用状態の側面図である。
【符号の説明】
【０００９】    １  蓋本体
２  球面膨化部
３  鍔部
３ａ  端周縁部
Ａ  傾斜鍔
【図１】
0003105291.tif 000003
【図２】
0003105291.tif 000004
【図３】
0003105291.tif 000005
(57)【要約】【課題】布団カバーにマチの部分を設け、就寝中に掛け布団がずれないようにする。【解決手段】布団カバーの四方に１２センチメートルから１７センチメートルのマチ１を設け、さらに適度な重量感を持たせることで、特別な道具を使わなくても、布団カバーの中に掛け布団を入れるだけで、ずれない掛け布団にすることができ、また、１００パーセント綿素材の重みを利用することで、適度な刺激が得られ、快適な睡眠を提供することができる。【選択図】図１
0003105297.tif 000002
【実用新案登録請求の範囲】
【請求項１】
四方に縁から幅１２センチメートルから１７センチメートルの範囲のマチを設けたことを特徴とする布団カバー。
【請求項２】
布団カバーを構成する材料として１００パーセント綿素材を使用し、全体の重さを１．２ｋｇ〜２．８ｋｇ重さとなしたことを特徴とする請求項１記載の布団カバー。
【考案の詳細な説明】
【技術分野】
【０００１】本考案は、布団カバーに関するものある。
【背景技術】
【０００２】従来の布団カバーを用いた掛け布団を使用した場合、就寝中に掛け布団や毛布がずれてしまい、不快感や体調の乱れなどを引き起こしてしまう場合がある。【０００３】そういった状態を打破するために、現在では様々な布団ずれ防止器具が開発、販売されているが、一般的な布団ずれ防止装置は金具やチューブなどの器具を使用するものが多く、それらのものは準備が煩雑で、費用も高くなるといった傾向がある。【０００４】また、一般的に掛け布団は羽毛など軽いものが重宝され、まして布団カバーが重いものなどは、ほとんど考えもされなかった。【０００５】しかし、人によっては就寝中に掛け布団があまり軽いと、布団の重量感に物足りなさを感じ、重過ぎると寝苦しさを感じてしまう。
【考案の開示】
【考案が解決しようとする課題】
【０００６】本考案は上記問題点を解決するために考案されたものである。
【課題を解決するための手段】
【０００７】請求項１記載の考案は、掛け布団を布団カバーの中に入れても、布団カバーの四方に、縁から端１２から１７センチメートルのマチを残している点を特徴としている。【０００８】請求項２記載の考案は、布団カバーの材料に１００パーセント綿素材を使用し、カバー自体にも１．２ｋｇ〜２．８ｋｇの重さを持たせている点を特徴としている。【０００９】請求項１の考案において、マチの広さを１２〜１７センチメートルにすると、掛け布団が就寝中に人の体からずれない、ちょうど良い幅になる。【００１０】１２センチメートルよりも狭くすると、掛け布団がずれてしまうことがあり、また１７センチメートルよりも広くすると、布団を敷く時に邪魔になる。【００１１】請求項２の考案において、布団カバーの重さを１．２ｋｇ〜２．８ｋｇにし、３．８〜４．４ｋｇの掛け布団の重みを加えたときの総重量は、就寝中の人に心地良い刺激を与える最良の重量となる【００１２】人により程度の差はあるが、掛け布団と布団カバーの総重量が５．０ｋｇより軽いと、物足りなさを感じることがあり、７．２ｋｇよりも重くなると寝苦しさや息苦しさを感じてしまうことがある。
【考案の効果】
【００１３】請求項１記載の布団カバーを用いれば、金具やチューブを使用しなくても、就寝中に掛け布団がずれなくなるといった効果を生じる。【００１４】請求項２記載の布団カバーを用いれば、請求項１記載の布団カバーを用いた場合の、上記効果を全て生じる上にさらに、就寝中に寝苦しさを感じない心地よく感じる程度の刺激を与えるという効果を生じる。
【考案を実施するための最良の形態】
【実施例１】
【００１５】図１は請求項１記載の布団カバーの実施の例を示す。材料は１００パーセント綿素材を使用し、重さは２．４ｋｇの布団カバーであり、１はマチで上１４センチメートル、左１３センチメートル、右１２センチメートル、下１４センチメートルの幅をとってある。
２は掛け布団を入れる袋部である。３は掛け布団を出し入れする口で、４は３の口を縛るための紐である。【００１６】掛け布団を３の口から収納し、２の部分に納めてみたが、特に問題なくスムーズに収まった。４の紐を縛ることで、掛け布団がカバーから出てしまうことを防ぐことが出来た。【００１７】本実施例の布団カバーに掛け布団を入れて就寝したところ、従来の布団カバーに比べて掛け布団のずれがなく、大変快適に睡眠をとることができた。
【実施例２】
【００１８】図２は請求項２記載の布団カバーの実施の例を示す。材料はｌ００パーセント綿素材を使用し、重さは２．４ｋｇの布団カバーであり、１はマチで上１４センチメートル、左１３センチメートル、右１２センチメートル、下１４センチメートルの幅をとってある。
２は掛け布団を入れる袋部である。３は掛け布団を出し入れする口で、４は３の口を縛るための紐である。５は２の袋部に収納された掛け布団である。【００１９】本実施例の布団カバーをつけた掛け布団で睡眠をとってみたところ、適度な重みがあり快適な刺激を受けることができた。特に寝苦しさを感じることも無かった。
【産業上の利用可能性】
【００２０】寝具業界においてコストがあまりかからないので、大量生産が可能である。【００２１】綿１００パーセントなので、再利用が容易で、環境にやさしい。
【図面の簡単な説明】
【００２２】
【図１】請求項１記載の考案の実施の例を示す説明図。
【図２】請求項２記載の考案の実施の例を示す説明図。
【符号の説明】
【００２３】１  マチ
２  掛け布団を入れる袋部
３  掛け布団をカバーに収納するための口
４  ３の収納口を縛って閉じるための紐
５  掛け布団
【図１】
0003105297.tif 000003
【図２】
0003105297.tif 000004
(57)【要約】      （修正有）【課題】高さ調整のための切断加工が簡単にできて違和感のない滑らかな状態に容易に設置できる既製スロープの実現。【解決手段】カッターナイフ等で簡単に切断することで高さが調整ができるように多数の薄い切断部４を備えた、断面が直角三角形状のスロープ本体を提供する。それは、本体前面１ｃに対して平行に面状の多数の分離用溝部２を、本体底面１ａから本体斜面１ｂ貫通前数ミリの位置まで形成し、本体斜面１ｂには各分離用溝部２の延長位置に滑り止めを兼ねたしるし溝３を備えた構造にする。【選択図】図１
0003105295.tif 000002
【実用新案登録請求の範囲】
【請求項１】
本体前面に対して平行に面状の多数の分離用溝部を、本体底面から本体斜面貫通前数ミリの位置まで形成し、本体斜面には各分離用溝部の延長位置に滑り止めを兼ねたしるし溝を備えた、断面が直角三角形状の高さ調整ができる段差改善スロープ。
【考案の詳細な説明】
【技術分野】
【０００１】  本考案は、敷居等の様々な高さの段差改善時に、簡単に高さ調節の切断加工ができる既製スロープに関する。
【背景技術】
【０００２】  従来の敷居用既製スロープ等は、一品種ごとに高さが一定の仕様のものは各種各メーカーにあり、段差に適する高さのものが選ばれて使用されていたが、合わない場合の高さ調整は容易でない。また、高さ調整式のものもあるが、切断等の加工や設置に技術を要するものである。【０００３】  図４、図５により、従来の高さが一定の既製スロープ設置状態について説明する。図４、図５においては、６は敷居、７は既製スロープ、９は床面、１０は壁である。高さが調度合う場合は少なく、段差８が残っている設置例である。また従来の高さ調整式の既製スロープにおいては、各種の高さ調整方法がとられているが、簡単に切断等の加工ができ短時間で設置できる仕様のものがない。
【考案の開示】
【考案が解決しようとする課題】
【０００４】  敷居等の様々な高さの段差改善において、従来の高さが一定の既製スロープ７を設置すると段上面とスロープ最上部との高さが調度合わずに段差８が少し残ることがあり、違和感の無い滑らかな状態に容易にできなかった。また、従来の高さ調節式のスロープに関しては、切断等の加工や設置が簡単でなかった。【０００５】  本考案は、従来のものが有した問題を解決しようとするものであり、敷居等の様々な高さの段差に対応するための、高さ調整のための切断加工が簡単にできて違和感のない滑らかな状態に容易に設置できる既製スロープの実現を目的とするものである。
【課題を解決するための手段】
【０００６】  上記目的を達成するために，本体前面に対して平行である多数の面状の分離用溝部とその各延長位置に滑り止めを兼ねたしるし溝を設け、スロープ本体底面から本体斜面に切断部の厚みを数ミリ程度残した構成にする。
【考案の効果】
【０００７】  上述したように本考案は、切断部の厚さを数ミリ程度にすることで、スロープの高さ調節のための切断加工がカッターナイフ等で簡単にできるようになる。そのため、短時間で容易に違和感のない滑らかな状態に敷居等の段差改善が可能となる。
【考案を実施するための最良の形態】
【０００８】  以下、本考案の実施の形態を図１〜図３に基づいて説明する。【０００９】  図１の（Ａ）（Ｂ）において、１は本考案スロープ本体、１ｂは２は分離用溝部、３は分離用溝部と対に位置する滑り止めを兼ねたしるし溝、４は切断部である。【００１０】  敷居の段差改善実施において、敷居の高さｈに本考案スロープ高さＨを合わせて、適する位置にある滑り止めを兼ねたしるし溝３のある本考案スロープ斜面１ｂから本考案スロープ底面１ａに垂直方向に、分離用溝２までの切断部４（厚さ数ミリ）をカッターナイフ等で切断する。２点鎖線表示部は本考案スロープ１を高さ調節したため切断除去された部分５であり、その高さはＳである。次に切断加工された本考案スロープ前面を敷居６の前面に押し当て、両面テープ・接着剤等で接着固定して設置終了となる。（本考案内容に記載していないが、設置場所の必要性に応じて、敷居の長手方向寸法に合わせて本考案スロープ本体を鋸等で切断し長さを調整したり、勾配付スロープ端部を取り付ける。）
【実施例】
【００１１】  図２は、塩化ビニール製の本考案の、簡単に高さ調節できる段差改善スロープ１を、敷居６の段差に合わせて、分離用溝部２を２カ所残した状態で、カッターナイフ等で切断加工して接着固定した設置例図である。反対側にも段差がある場合は同様に設置する。（本考案スロープ本体の材質としては、合成樹脂、木等）
【産業上の利用可能性】
【００１２】  この考案は、スロープの高さの調整を容易にするため、本体に多数の分離用溝部２を設けて切断加工を簡単にすることを目的にしていが、板材の切断部に応用できる。
【図面の簡単な説明】
【００１３】
【図１】（Ａ）は本考案スロープ本体の斜視図  （Ｂ）は（Ａ）図の（２ａ）部の拡大図
【図２】本考案スロープの設置状態図
【図３】本考案スロープの設置状態図２におけるＡ−Ａ線断面図
【図４】従来の既製スロープの設置状態図
【図５】従来の既製スロープの設置状態図４におけるＢ−Ｂ線断面図
【符号の説明】
【００１４】  １    本考案の高さ調節できる段差改善スロープ（本体）
１ａ  本考案の高さ調節できる段差改善スロープ底面
１ｂ  本考案の高さ調節できる段差改善スロープ斜面
１ｃ  本考案の高さ調節できる段差改善スロープ前面
２    分離用溝部
３    滑り止めを兼ねたしるし溝
４    切断部
５    本考案スロープ本体の高さを調節した時に切断除去された部分
６    敷居
７    従来の既製スロープ（例）
８    従来の既製スロープ設置状態での段差残り
９    床面
１０    壁
Ｈ    切断加工前の本考案の段差改善スロープ本体の高さ
ｈ    敷居の高さ
Ｓ    本考案段差改善スロープ本体の高さ調節をした時に切断除去された部分
【図１】
0003105295.tif 000003
【図２】
0003105295.tif 000004
【図３】
0003105295.tif 000005
【図４】
0003105295.tif 000006
【図５】
0003105295.tif 000007
(57)【要約】【課題】    従来、モップの洗濯機での洗浄方法では、モップの房糸が絡まるなど汚れが十分に除去できず、乾燥時に絡まった房糸を解す時間の浪費と水道水、電気、洗剤の環境への配慮がなされにくい問題がある。これは、洗濯機での洗浄時にモップの房糸が絡まないという状態を作る事で汚れの除去を容易化し、水道水、電気、洗剤の投入量、そして、労働の浪費も削減する事ができる。【解決手段】    モップ専用洗濯ネットはモップとほぼ同サイズでモップ専用洗濯ネットの上部で、モップの上部を固定することでモップの硬質で出来た部分を固定する。左右で房糸の上部下部をゴム紐で固定することにより、モップ専用洗濯ネット内での動きを出来るだけ無くし、モップの房糸の流動的な動きを固定化するようにした。これにより洗濯機内での水流の中でも房糸は絡まる事が無く、洗濯水が房糸と浸透しあい十分な洗浄を可能にする事が出来る。【選択図】図１
0003105296.tif 000002
【実用新案登録請求の範囲】
【請求項１】
一般の洗濯ネットよりも丈夫で伸縮率の低い素材でできたネットを使用し、モップの木部またはプラスティック部と同じ幅になるように加工したモップ専用洗濯ネット上部でモップの木部またはプラスティック部は固定され、モップ専用洗濯ネット内の上部と下部に左右それぞれに固定されたゴム紐で房糸を中心から二分する形で左右にモップの房糸を固定することによって左右でそれぞれの房糸のベクトルを一本化したモップ専用洗濯ネット。
【考案の詳細な説明】
【技術分野】
【０００１】本考案は、一般家庭用の洗濯ネットを清掃用モップ専用の房糸の絡まない洗濯ネットに関する。
【背景技術】
【０００２】従来家庭用洗濯ネットは袋内に洗う物を入れてファスナーで袋を閉じる、紐で縛るものもある。【０００３】従来家庭用洗濯ネットは衣類、寝具、他布製の物を入れて洗う。【０００４】家庭用洗濯ネットは清掃用モップを入れて洗濯機に入れるとネット（袋）内でモップが回転し房糸が絡む。
【考案の開示】
【考案が解決しようとする課題】
【０００５】以上に述べた従来の家庭用洗濯ネットはモップの木製（プラスティック製も有る）の部分が洗濯機の水流により洗濯ネット（袋）内で自由に動く為に破れる、ファスナーの部分が破損する、モップの房糸が洗濯ネット内で回転するので絡む。【０００６】本考案は、このような従来の構成が有していた問題を解決しようとするものであり、モップの房糸の絡みをなくしネットの破損を防ぐ事を実現する事を目的とするものである。
【課題を解決するための手段】
【０００７】そして、本考案は上記目的を達成するために一般の洗濯ネットよりも丈夫な素材でできたネットを使用しモップの木部（またはプラスティック部）と同じ幅になるように加工したモップ専用洗濯ネット上部でモップの木部（またはプラスティック部）は固定された形にし、モップ専用洗濯ネット内の上部と下部に左右それぞれに固定されたゴム紐で房糸を中心から二分する形で左右にモップの房糸を固定することによって左右でそれぞれの房糸のベクトルを一本化したものである。【０００８】袋の内に左右段を変えてゴムを取付けて房糸をとめる。
【考案の効果】
【０００９】上述したように本考案の洗濯ネットはモップの房糸の絡みを防止、常にきれいなモップを保つ。【００１０】洗濯機でモップを洗濯すると排水汚染の防止、手洗いによる人件費、洗剤と水の使用量の削減。
【考案を実施するための最良の形態】
【００１１】以下、本考案の実施の形態を図１〜図３に基づいて説明する。【００１２】図においては、１は本体の内側である、使用時は２ネットを表返して使う。モップ上部の木部（またはプラスティック部）を２モップ専用洗濯ネット上部まで入れることでモップ上部の木部（またはプラスティック部）は固定され、モップ専用洗濯ネット内でモップの房糸の上部を３ゴム紐と４ゴム紐とで、下部を５ゴム紐と６ゴム紐とで、モップの房糸の動きを左右で固定し、７ホックを閉じて洗濯機へ入れる。【００１３】上述のとおり、モップをモップ専用洗濯ネットに入れた状態８である。モップ専用洗濯ネットとモップの木部（またはプラスティック部）は同サイズであるために自由がきかず固定される事になりモップ専用洗濯ネット内での動きをなくすということ。９ゴム紐１０ゴム紐でモップの房糸を図において左側で上下部分を、１１ゴム紐１２ゴム紐でモップの房糸を図において右側で上下部分を固定する事でモップの房糸の動きをなくすという、つくりである。
【実施例】
【００１４】洗濯機の水流の中で洗濯ネットが回転しているが、ネット内のモップは固定されているので絡む事はない。洗濯終了後モップの房糸を固定したゴム紐を外して洗濯ネットからモップを取り出し上下に軽く振るだけで房糸の絡みが無くまっすぐな房糸のモップが出てくる。
【図面の簡単な説明】
【００１５】
【図１】本考案を裏返した状態のモップ専用洗濯ネットの内側の図。
【図２】同ネットを使用する状態での外観図。
【図３】同ネット内にモップを固定した状態を表した図。
【符号の説明】
【００１６】  １  モップ専用洗濯ネット内側
３  図において左側で房糸の上部を固定するゴム紐
５  図において左側で房糸の下部を固定するゴム紐
４  図において右側で房糸の上部を固定するゴム紐
６  図において右側で房糸の下部を固定するゴム紐
７  ネットを閉じるホック
【図１】
0003105296.tif 000003
【図２】
0003105296.tif 000004
【図３】
0003105296.tif 000005
(57)【要約】      （修正有）【課題】競技自転車に前ブレーキを簡単に着脱できるようにするためのブレーキ装着治具を提供する。【解決手段】競技自転車用前ブレーキ装着治具は、逆Ｕ字形の空隙を有する平板のブレーキ取付け板１０と、弾性材を内嵌し一端が蝶番機構で連結され他端に平板状の鍔を有する二つのほぼ半円筒で構成される一対の締付け具２０よりなる。締付け具はその鍔部分がブレーキ取付け板の逆Ｕ字空隙を挟んだ両下端にほぼ直角に固着されることにより取付け板と一体となる。締付け具で自転車のフレームに挟持して締め付けることにより自転車のフレームに装着可能である。本考案の競技自転車用前ブレーキ装着治具を利用すると、前輪用ブレーキの着脱を容易に行うことが可能である。【選択図】図４
0003105274.tif 000002
【実用新案登録請求の範囲】
【請求項１】
逆Ｕ字形の空隙を有する平板のブレーキ取付け板と、弾性材を内嵌し一端が蝶番機構で連結され他端に平板状の鍔を有する二つのほぼ半円筒で構成される一対の締付け具よりなり、該締付け具はその鍔部分が該ブレーキ取付け板の逆Ｕ字空隙を挟んだ両下端にほぼ直角に固着されることにより取付け板と一体となり、該締付け具で自転車のフレームに挟持して締め付けることにより自転車のフレームに装着可能にした競技自転車用前ブレーキ装着治具。
【請求項２】
ブレーキ取付け板の該逆Ｕ字空隙の高さが８０〜８５ｍｍ、巾がＵ字の円弧端で２９〜３３ｍｍ、Ｕ字末端で３０〜３５ｍｍであり、その厚さが２．５〜３．５ｍｍで、材質がステンレスである請求項１の前ブレーキ装着治具。
【考案の詳細な説明】
【技術分野】
【０００１】
本考案は、競技自転車の前ブレーキ装着用の治具に関するものである。
【背景技術】
【０００２】
競技自転車は一般の自転車とは異なりブレーキを具備していない。ただし、ロードで練習する時は危険なので、そのときだけ後輪にブレーキを取り付けて練習する。しかしながら、一般的に自転車の制動に関しては、前輪が約７０％、後輪が約３０％寄与するとされており、後輪のみのブレーキでは制動が不十分である。
一般自転車の場合はブレーキは必須であり、その取付け方法も種々開発されている（例えば、特許文献１）。しかしながら、競技自転車で前輪用のブレーキを取り付ける方法は知られていない。
【特許文献１】特開平１１−３４８８６３号公報
【考案の開示】
【考案が解決しようとする課題】
【０００３】
本考案の目的は、競技自転車に前輪用のブレーキを簡単に着脱できるようにするためのブレーキ装着治具を提供することである。
【課題を解決するための手段】
【０００４】
上記、本考案の目的は、以下の前ブレーキ装着治具により達成される。
逆Ｕ字形の空隙を有する平板のブレーキ取付け板と、弾性材を内嵌し一端が蝶番機構で連結され他端に平板状の鍔を有する二つのほぼ半円筒で構成される一対の締付け具よりなり、該締付け具はその鍔部分が該ブレーキ取付け板の逆Ｕ字空隙を挟んだ両下端にほぼ直角に固着されることにより取付け板と一体となり、該締付け具で自転車のフレームに挟持して締め付けることにより自転車のフレームに装着可能にした競技自転車用前ブレーキ装着治具。
前記本発明の前ブレーキ装着治具においては、該ブレーキ取付け板の該逆Ｕ字空隙の高さが８０〜８５ｍｍ、巾がＵ字の円弧端で２９〜３３ｍｍ、Ｕ字末端で３０〜３５ｍｍであり、その厚さが２．５〜３．５ｍｍで、材質がステンレスであることが好ましい。
【考案の効果】
【０００５】
本考案の競技自転車用前ブレーキ装着治具を利用すると、前輪用のブレーキの着脱を容易に行うことが可能である。
【考案を実施するための最良の形態】
【０００６】
以下に図面により本考案を説明する。
図１は本考案の競技自転車用前ブレーキ装着治具の一例の正面図、図２は背面図、図３は平面図、図４はブレーキを取り付けた場合の斜視図である。
本考案の競技自転車用前ブレーキ装着治具は逆Ｕ字形の空隙１１を有するブレーキ取付け板１０と、二つのほぼ半円筒で構成される一対の締付け具２０よりなる。
【０００７】
ブレーキ取付け板は図１、２に示すように全体としてもほぼ逆Ｕ字形をしているのが一般的であるが、必ずしもそうでなくてもよく、例えば長方形であってその一方短辺に逆Ｕ字形空隙を有しても良い。逆Ｕ字空隙は自転車の前輪に接触することなく跨ぐようにして自転車のフレームに装着可能なように十分な巾を有していなければならない。好ましくは該逆Ｕ字空隙の高さｈが８０〜８５ｍｍ、Ｕ字の円弧端の巾ｗ１が２９〜３３ｍｍ、Ｕ字末端の巾ｗ２が３０〜３５ｍｍである。またその材質はステンレスで厚さは２．５〜３．５ｍｍであることが好ましい。このような材質と厚さを選択することにより、ブレーキ取付け板に多少の弾性変形を許容しフレームに装着し易くなる。ブレーキ取付け板は逆Ｕ字空隙上方に螺子でブレーキを取り付けるための孔１２を有する。
【０００８】
締付け具２０は一端が蝶番機構２２で連結され、他端に平板状の鍔２３ａ、２３ｂを有する二つのほぼ半円筒２１ａ、２１ｂで構成される。蝶番機構２２で連結された二つの半円筒の一方２１ｂはその鍔２３ｂが溶接等でブレーキ取付け板１０にほぼ直角に固着され、他方の半円筒２１ａはフリーであり、蝶番機構２２を中心として回転自在であり、二つの半円筒２１ａ、２１ｂが合わさって円筒状となる。半円筒は茶筒のようにストレートでもよく、中央がやや膨らんだ樽状でも差し支えない。半円筒には、自転車のフレームを傷つけずにしっかりと装着できるようにゴムのような弾性体２４が内嵌されている。自転車のフレームに装着するときは、二つの半円筒２１ａ、２１ｂでフレームを挟持し、鍔２３ａ、２３ｂを例えばボルト２５と蝶螺子２６で締め付ける。このとき半円筒の開閉を考慮して、ボルト２５は鍔２３ｂに多少傾けて固定すると装着操作をしやすい。
【０００９】
前ブレーキ３０は図４に示すように、取付け板１０に孔１２を利用して螺子留めするのが一般的である。このときスペーサー３１を噛ませることによりブレーキと取付け板の間隔を調整することができる。競技用自転車に装着するときは両方の取付け具２０の一対の半円筒２１ａ、２１ｂで自転車の前輪用のフレームを挟持し、蝶螺子２６で締め付けることにより、工具を用いることなく容易に行うことができる。取り外しも蝶螺子を緩めるだけで簡単にできる。
【産業上の利用可能性】
【００１０】
本考案のブレーキ装着用治具は競技用自転車の前輪用のブレーキの着脱用途して有用である。
【図面の簡単な説明】
【００１１】
【図１】本考案の競技自転車用前ブレーキ装着治具の一例の正面図である。
【図２】本考案の競技自転車用前ブレーキ装着治具の一例の背面図である。
【図３】本考案の競技自転車用前ブレーキ装着治具の一例の平面図である。
【図４】本考案の競技自転車用前ブレーキ装着治具にブレーキを取り付けた場合の斜視図である。
【符号の説明】
【００１２】
１０  ブレーキ取付け板
１１  空隙
２０  締付け具
２１ａ、ｂ  半円筒
２２  蝶番機構
【図１】
0003105274.tif 000003
【図２】
0003105274.tif 000004
【図３】
0003105274.tif 000005
【図４】
0003105274.tif 000006
(57)【要約】【課題】  本考案はスポンジ本体に、油汚れや食べ残しを掻き取るヘラを設け、食器を容易に洗浄、なおかつ清潔にする。【解決手段】  本考案はスポンジ本体Ｚに、油や汚れを掻き取るためのヘラＡを埋め込み、掻き取った汚れ等がスポンジ本体に付着するのを避けるため、反し溝Ｃを設けた。大まかな油汚れや食べ残しをヘラで掻き落とした後は、少量の洗浄剤と少量の水とで容易に、なおかつ清潔に食器を洗浄することができる。【選択図】  図１
0003105884.tif 000002
【実用新案登録請求の範囲】
【請求項１】
食器洗浄用スポンジにヘラを付け、それらを一体化する事により、食器等に付着した油汚れや食べ残しを、洗浄前にヘラで掻き落とす事が出来るのを特徴とするヘラ付食器洗浄用スポンジ
【考案の詳細な説明】
【技術分野】
【０００１】  本考案は、スポンジ中央部に細長いヘラを設けた、食器洗浄用スポンジに関するものである。
【背景技術】
【０００２】  食事後、食器の食べ残しや油汚れは、スプ−ンで掻き落としたり、ペ−パ等で拭き取る等の作業を行っていた。
【考案の開示】
【考案が解決しようとす課題】
【０００３】  食器等に付着した落ちにくい油や汚れを洗浄するまでの過程には、様々な道具を用い、また多量な洗浄剤及び、水を使用しており、非常に不経済である。従って、備え付けのヘラを使用することにより、スポンジ洗浄前に油汚れや食べ残しを掻き落とすことが可能となり前述の欠点を解決しようとするものである。
【課題を解決するための手段】
【０００４】  本考案は、食器洗浄用スポンジ中央部にヘラを備え付け、それらを一体化することにより、多様な食器汚れに対してそれぞれが異なった役割を果たし、スポンジ単体では果たし得ることが出来なかった役割を果たす。また、ヘラの部分を細長い型にして、グラス等の洗浄にも便利とすることにより問題点を解決している。
【考案の効果】
【０００５】  上述の様に、本考案のヘラ付食器洗浄用スポンジは通常の食器洗浄は勿論、ヘラをスポンジ自体に設けたので、油汚れと食べ残しをヘラで掻き落とした後、少量の洗浄剤と少量の水の使用で洗い物を済ませることができる。しかもヘラの部分をつまみの様に指で掴めば、力強く洗浄でき、さらに、細長いヘラの部分が軸のような役割をし、グラスの最深部への到達を容易にする。
【考案の実施するための最良の形態】
【０００６】  正方形のスポンジ本体に、対角線が一本走るような形でヘラが埋め込まれており、強度を保つため、逆さＴの形状でほぼ半分がスポンジに埋め込まれる。ヘラの両側には平行に溝が施してあり、掻き出した汚れや食べ残しをスポンジ本体に付着するのを防ぐための反しとしてのものである。
【実施例】
【０００７】  以下、添付図面に従って一実施例を説明する。Ａはゴム、ラバ−または、軟質性のＥＶＡ樹脂等、柔軟性に優れた適宣素材にて形成されたヘラ部分、同じヘラの一部である汚れ反しとしての溝、Ｃがある。Ｚはポリウレタン等適宣素材を用いたスポンジ本体。
【産業上の利用可能性】
【０００８】  この考案における産業上の利用可能性として、一般家庭及び、飲食店などを中心に幅広い需要があることと推察いたします。また、この実案における食器洗浄に係わる経費などの削減、資源の節約を重点に考慮しており、利便性に留まらず、環境に配慮したものであります。生産方法として、それほど複雑なものではないので、機械により大量生産することが相応しい。そして、使用後はリサイクルとする。
【図面の簡単な説明】
【０００９】
【図１】本考案のヘラ付食器洗浄用スポンジの一実施例を示す正面図である。
【図２】本スポンジの一部切欠断面図である。
【符号の説明】
【００１０】  Ａ  ヘラ部分
Ｃ  反し溝
Ｚ  スポンジ本体
【図１】
0003105884.tif 000003
【図２】
0003105884.tif 000004
(57)【要約】【課題】浴室の洗い場で使用する腰掛を暖房し且つ廉価で提供する。【解決手段】浴室用腰掛１は座面４の中央開孔２を介して温水７を、容器部６に満たす事により座面４の裏に直接温水７が触れることで、快適な温かさが得られ暖房腰掛の機能を果たす。また使用中容器部６の中において温水７の温度が降下しても開孔部２及び開孔部３を介して冷めた温水７を排出し、再度開孔部２から温水７を注入することにより、快適な温度が得られこの行為を繰り返すことにより常時快適な暖房効果が得られる。【選択図】図１
0003105883.tif 000002
【実用新案登録請求の範囲】
【請求項１】
浴室の洗い場で使用する腰掛であり、内部に温水を蓄える事を目的とした容器を、内蔵してある事を特徴とする浴室用腰掛。
【請求項２】
前記腰掛本体は座面中央の孔を挟んで左右に、複数の小孔が配列してあることを特徴とする請求項１記載の浴室用腰掛。
【請求項３】
前記腰掛座面中央の孔を挟んだ複数の小孔は、座面端部に正対に配置構成されていることを特徴とする、請求項１または請求項２記載の浴室用腰掛。
【考案の詳細な説明】
【技術分野】
【０００１】本考案は浴室の洗い場で、身体を洗浄する際に腰掛ける浴室用腰掛に関するものである。
【背景技術】
【０００２】浴室の洗い場において一般に使用されている浴室用腰掛は、木製又はプラスチック及びポリプロピレンで形成されており、腰掛けて身体を洗浄する際、腰掛の座面に温水を掛け使用するが冬期や寒冷地において、瞬間的には暖かくなるがすぐ冷めてしまう。例えば特開−６１−２３２８２４号に示されるように、腰掛の座面天板裏側に角パイプを並列し、その内部に温水を通し適度な暖かさを提供するものもある。
【考案の開示】
【考案が解決しようとする課題】
【０００３】しかしながら前記公報腰掛は、形成が複雑であり且つ、温暖効果も快適とまで言えない。
【課題を解決するための手段】
【０００４】この考案は前記課題を解決するためのものであり、以下のように構成するものである。腰掛本体内部に湯を蓄える容器部を設置し、座面中央孔の左右両端に複数の排水用小孔を配列してあることを特徴とし、簡便に温水の入れ替え作業が行えることを目的とした浴室用腰掛。【０００５】腰掛本体の座面裏側より下へ一定間隔を取り平行に底板を張ることにより容器部が構成してあることを特徴とする、浴室用腰掛。
【考案の効果】
【０００６】本考案の浴室用腰掛は上記のように構成されていることから、洗い場で腰掛に座る際、座面中央の孔を介し浴槽または蛇口から温水を注ぎ、容器部を満たすことにより座位した時、快適な暖かさが得られる。【０００７】また形成が簡潔に成されていることにより、比較的廉価で提供する事ができる。
【考案を実施するための最良の形態】
【０００８】以下図面に示した例に従い本考案を説明すれば、実施形態の浴室用腰掛１は図１に示すようにプラスチック又は、ポリプロピレンで形成された本体１の座面４の中央孔２を挟み、左右両端に複数の小孔３を配列し、座面４裏側下に一定間隔を開け、平行に底板を組み込み合成することにより、容器部６が構成される。【０００９】また小孔３の形状は限定せず、丸孔もしくは角孔どちらでも排水効率及びデザインにより採用する。
【実施例】
【００１０】図３に示されるように座面４の中央孔２を介し、温水７を注ぎ込み座面４の中央孔２及び小孔３から、温水７が溢れることで浴室用暖房腰掛が構成される。
【産業上の利用可能性】
【００１１】上述のように簡便に形成されていることにより、幼児やお年寄りにも容易に扱え冷え性や痔で困っている人や、冬期または寒冷地においても入浴する際温水を満たし、また入れ替えることにより快適な暖房効果が得られる。
【図面の簡単な説明】
【００１２】
【図１】本考案の腰掛を示す全体図
【図２】図１における本体内部図
【図３】図１における断面図
【符号の説明】
【００１３】１、浴室用腰掛
２、中央開孔部
３、小孔
４、座面
５、脚部
６、容器部
７、温水
【図１】
0003105883.tif 000003
【図２】
0003105883.tif 000004
【図３】
0003105883.tif 000005
(57)【要約】【課題】  錆を防止し携帯に便利な刃物研ぎ器を提供する。【解決手段】  手で持って操作する本体１の先端に砥石２、ふた部分３が結合し、後部先端はテール部分４、海綿体５から構成されている。本体１は長いスティック状で、先端のヘッド部分１１はボディ部分１２よりやや大き、握りやすくなっている。本体１先端のヘッド部分１１の一側面には長い固定するためのくぼみ槽１１１が設けられ、砥石２を収納する。ふた部分３はふたをした時、その切り込み部分３１が砥石２に対応するので、固定可能である。内部の下部には内側螺旋部分１３が設けられ、テール部分４の外側螺旋部分４１に対応する。テール部分４の中心空洞部分４２内には海綿体５が設けられ、海綿体５は油を吸着している。砥石２により道具を研いで鋭利さを保つ以外に、テール部分の海綿体５で刃の部分を拭いて、汚れを取り除き、錆を防ぎ手入れをする。【選択図】    図１
0003105890.tif 000002
【実用新案登録請求の範囲】
【請求項１】
手持ち可能な本体の先端には砥石、ふた部分が結合し、後部先端はテール部分、海綿体から構成され、本体は長いスティック状で、先端のヘッド部分はボディ部分よりやや大きく、握りやすく成形され、
本体先端のヘッド部分の一側面には長い固定するためのくぼみ槽が設けられ、砥石を収納するように構成され、ふた部分はふたがされたとき、その切り込み部分が砥石に対応して固定可能であり、内部の下部には内側螺旋部分が設けられ、テール部分の外側螺旋部分に対応するよう構成され、テール部分の外側螺旋部分の中心空洞部分内には海綿体が設けられ、その海綿体は油が吸着していることにより、携帯に便利で、随時道具を研いで鋭利さを保つことが可能であることを特徴とする刃物研ぎ器。
【請求項２】
テール部分の中心空洞部分に収納した海綿体が油を吸着しており、その海綿体で刃の部分を拭いて汚れを取り除き錆を防ぐと同時に、油を塗ることで手入れをするという目的を果たすことを特徴とする請求項１に記載の刃物研ぎ器。
【考案の詳細な説明】
【技術分野】
【０００１】
本考案は、ハンディタイプの刃物研ぎ器に関する。
【背景技術】
【０００２】
一般に市場に出回っている各種の刃物や園芸用はさみなどは、使用後、多少汚れがつくことは避けられない。そのため、清潔な状態を保つには、収納する際に表面をきれいにする必要がある。
【考案の開示】
【考案が解決しようとする課題】
【０００３】
しかしながら、刃物を使用する時には、多少の水気が付着するので、ある程度時間が経つと、空気に触れて錆が発生するのは避けられない。これは見た目がよくないだけでなく、錆が生じた面積が大きくなると、刃物としての機能が充分に発揮できなくなり、鋭利さにも欠くため、使用上不便が生じる。
【０００４】
刃物が鋭利でなくなった場合は、刃物研ぎ器や砥石によって刃物を研げばよいのであるが、研ぎ器や砥石は体積が大きく、携帯には不便であるため、作業効率に影響することになる。
【０００５】
したがって本考案の目的は、錆を防止し携帯に便利な刃物研ぎ器を提供することにある。
【課題を解決するための手段】
【０００６】
上述の目的を達成するために本考案の請求項に記載の刃物研ぎ器は、手で持って操作する本体先端部の一側面にある長い固定するためのくぼみがあり、砥石を収納するようになっている。ふた部分はふたをすると、切り込み部分が砥石に対応して固定するようになっている。本体内部下部には内側螺旋部分が設けられ、テール部分の外側螺旋部分が本体と結合する前に、外側螺旋部分の中心空洞部分内に海綿体を収納する。この海綿体は油を吸着している。このように、この研ぎ器は道具を研いで鋭利さを保つ以外に、テール部分の海綿体で刃の部分を拭いて、汚れを取り除き、錆を防ぎ手入れをするという目的も果たす。
【考案を実施するための最良の形態】
【０００７】
以下、本考案の実施例を図面に基づいて説明する。
図１、図２、図３に示すように、本考案の実施例による刃物研ぎ器は、手で持って操作する本体１の先端に砥石２、ふた部分３が結合し、後部先端はテール部分４、海綿体５から構成されている。そのうち、本体１は長いスティック状で、先端のヘッド部分１１はボディ部分１２よりやや大きくて、握りやすくなっている。本体１先端のヘッド部分１１の一側面には長い固定するためのくぼみ槽１１１が設けられ、砥石２を収納する。そして、ふた部分３はふたをした時、その切り込み部分３１が砥石２に対応するので、固定することが可能である。内部の下部には内側螺旋部分１３が設けられ、テール部分４の外側螺旋部分４１に対応する。テール部分４の外側螺旋部分４１の中心空洞部分４２内には海綿体５が設けられ、その海綿体５は油を吸着している。
【０００８】
図２、図３に示すように海綿体５は油を吸着させた後、テール部分４の外側螺旋部分４１の中心空洞部分４２内に収納される。さらに、テール部分４の外側螺旋部分４１と本体１内部下部にある内側螺旋部分１３と結合して一体となる。そして、ヘッド部分１１一側面の長い固定するためのくぼみ槽１１１が砥石２を収納して、さらにふた部分３を結合させて完成する。刃物や園芸はさみ等の道具を使用して片付ける際、まず表面についた枝くずや葉、泥などの汚れを取り除いてから、図４に示すように本考案のハンディタイプの砥石２で研いで鋭利さを保つ。さらに図５に示すように、テール部分４の海綿体５に油を付けて刃物の表面を拭くことで細かい汚れを取り除いて錆を防ぐ。同時に、刃の部分に油分を補うことにより、手入れの目的を果たす。
【０００９】
本考案のハンディタイプの刃物研ぎ器は、道具を研いで鋭利さを保つ以外に、テール部分の海綿体で刃の部分を拭いて、汚れを取り除き、錆を防ぎ手入れをするという目的も果たす。したがって、実用性が高い。また、刃物を手入れすることで寿命が長くなるので、長く使用可能で経済的である。
【図面の簡単な説明】
【００１０】
【図１】本考案の一実施例による刃物研ぎ器を示す立体分解図である。
【図２】本考案の一実施例による刃物研ぎ器を組み立てた状態を示す立体外観図である。
【図３】本考案の一実施例による刃物研ぎ器を組み立てた状態を示す断面図である。
【図４】本考案の一実施例による刃物研ぎ器の使用状態を示す図である。
【図５】本考案の一実施例による刃物研ぎ器の別の使用状態を示す図である。
【符号の説明】
【００１１】
１  本体、２  砥石、３  ふた部分、４  テール部分、５  海綿体、１１  ヘッド部分、１２  ボディ部分、１３  内部螺旋部分、３１  切り込み部分、４１  外側螺旋部分、４２  中心空洞部分、１１１  長い固定するためのくぼみ槽
【図１】
0003105890.tif 000003
【図２】
0003105890.tif 000004
【図３】
0003105890.tif 000005
【図４】
0003105890.tif 000006
【図５】
0003105890.tif 000007
(57)【要約】【課題】  バストアップや胸寄せ効果を出しバストの形状を理想的な形状にちかずけ補整効果を提供するのは勿論のこと、従来のブラジャーは洋服のデザインによって周りの人からブラジャーが部分的に見えてしまうため、装いに制約があり問題があった。これは、肩のストラップ・背中や胸元に装着物があるためである。【解決手段】  右左用セットの伸縮性粘着テープを使用者の皮膚に貼着することにより、バストの形を整えられるので、必要最小限の着用部分だけに装着することを可能として問題を解決した。【選択図】  図２
0003105807.tif 000002
【実用新案登録請求の範囲】
【請求項１】
使用者の皮膚に貼着させるべくバスト寄せ上げテープにおいて、伸縮性のある素材と、裏面側に粘着性を備えていることを特徴とし、伸縮粘着テープの片側半分を二股にし、一股で胸を下から持ち上げ、もう一股で胸を横から寄せる事により、豊かで谷間のある胸に見せることができ、特に胸元が大きく開いた装いの時に効果があるブラジャーの役目をするもの。
【考案の詳細な説明】
【技術分野】
【０００１】  本考案は、ブラジャーの代わりにバストアップと胸寄せ効果をだすテープに関する。
【背景技術】
【０００２】  従来のブラジャには、形状を工夫したりワイヤを用いてバストアップや胸寄せ効果を施したものがある。
【考案の開示】
【考案が解決しようとする課題】
【０００３】  以上に述べた従来のブラジャーでは、胸元や背中が大きく開いた装いの時に、ブラジャーの一部が洋服から出てしまい周りの人から見えてしまうものであった。【０００４】  本考案は、このような従来の構成が有していた問題を解決しようとする物であり、周りの人からはブラジャーが見えないにも関わらず、バストアップされた谷間のある自然な胸元を実現することを目的とする。
【課題を解決するための手段】
【０００５】  そして、本考案は上記目的を達成するために伸縮性粘着テープを使用し、着用する洋服からはみ出さないようにバストアップ・胸寄せをし、胸元に直接テーピイングする。【０００６】  上記第１の課題解決手段による作用は、着用する洋服からはみ出さないように伸縮性粘着テープを左右セットにしたことで胸元中心部分・背中に装着物が無く、胸元に貼着することによりからだの動きに対するずれにも耐え、大きく開いた胸元・背中の装いのときにもテープが洋服からはみ出すことを防止することが出来る。【０００７】  また、第２の課題解決手段による作用は、右・左用セットの伸縮性のある粘着テープの片側を二股にし、まず二股でない部分で、片胸を持ち上げながらその片胸の下に貼りそして二股の部分の外側一片を伸ばしながら直角に持ち上げてバストアップをさせ、内側一片を伸ばしながら弧を描くよう持ち上げ胸をよせる。もう片方の胸も同様に行う。テープ自身に伸縮性があるため胸を綺麗に包み込める。
【考案の効果】
【０００８】  上述したように本考案のテープは、胸元や背中が大きく開いた装いの時ときにも、装着物が周りの人からみえることを気にすることなく着用でき、多様なデザインの装いを楽しむことが出来る。【０００９】  また、バストアップとともに、胸寄せ効果もあり美しいバストラインが得られる。
【考案を実施するための最良形態】
【００１０】  図においては。３ｃは出発点となる胸下に貼る面になる。２は切り込みが入れてあり、より良い形成の補助の役割を果たす。３ａ・３ｂの間に切り込みを入れ二股にし、３ａで胸の側面を上に持ち上げてバストアップし、３ｂで胸の側面を内側に寄せて谷間を作る事が出きる〔図４〕。４は装着し易いように粘着する部分のパーツごとに剥離紙がはがれるように切断されいる。５ａ〜１は着用者の体型や洋服のデザインに合わせてカットできるよう切取線を記載している。
【産業上の利用可能性】
【図面の簡単な説明】
【００１１】
【図１】      本考案考案である伸縮粘着テープを示した平面図。
【図２】      本考案考案である伸縮粘着テープの着用図。
【符号の説明】
【００１２】          １ａ      右胸用伸縮粘着テープ
１ｂ      左胸用伸縮粘着テープ
２        切り込み
３ａ      胸を持ち上げる面
３ｂ      胸を寄せる面
３ｃ      出発点となる胸下に貼る面
【図１】
0003105807.tif 000003
【図２】
0003105807.tif 000004
(57)【要約】      （修正有）【課題】高齢等で足、腰に支障がある方の身体的負担を軽減する。又、粉失、盗難等を防止し、外出が安全で安心なものとなるバックを提供する。【解決手段】布製のバックに布製の財布を縫い付ける事で軽量化、身体への負担が軽減する。又、財布がバックに縫いつけてあるので粉失、盗難の防止に役立つ。【選択図】図２
0003105810.tif 000002
【実用新案登録請求の範囲】
【請求項１】
布製のバック内面に札、小銭、カード、保険証等を収納出来る布製の財布を縫い付ける事で軽量化とし、身体への負担を軽減するのを特徴とする、高齢者、且つ、足腰に支障のある方に適した財布付き軽量バックである。
【考案の詳細な説明】
【技術分野】
【０００１】本考案は、バックの内面に札、小銭、カード、保険証等を収納する布製の財布を縫い付けたバックに関するものである。〔背景技術〕【０００２】高齢となり足、腰に問題が生じて来ると、外出が困難となり、皮製の財布が重く感じられ、身体も負担を自覚する様になった。依って、必然的に布の袋物を好んで代用していた。〔考案の開示〕〔考案が解決しようとす課題〕【０００３】高齢になると足、腰に問題を抱える様になり、財布一つでも重く身体への負担も大きい。又、粉失、盗難の恐れもある。従って通常の皮製の財布を布製の財布に改善する事で上述の問題点を解決しようとするものである。〔課題を解決するための手段〕【０００４】バックの内面に布製の財布を縫い付ける事で軽量となり、身体への負担が軽減する又、バック本体も布製キルテング素材を用いて更に軽量化とする。財布がバックに縫い付けてあるので粉失、盗難の防止になり、問題点の解決となる。〔考案の効果〕【０００５】上述の様に布製の財布を縫い付ける事で軽量化し、身体への負担も軽減、粉失盗難の防止に役立つ。又、診察券、保険証等所定の場所に収納出来るので、慌てて探したりする必要もなく、通院時等精神的にも安心である。尚、財布として用いる事は勿論であるが、他の収納にも利用可能である。又、ショルダーにもなるので両手が自由に使えて楽である。快適な外出は健康上高い効果が得られる。〔考案の実施するための最良の形態〕【０００６】バック本体の内面に布製で長方形の袋状のものを縫い付け、札、カード、保険証等別々に収納出来る様にする。依って、札入れの内面にもポケットを２個所縫い付けカード、保険証等を収納出来るものとする。財布の開閉はファスナーを用いてつまみ部分には指先で掴める飾りをつけて開閉が楽なものとする。又、札入れの前面には蓋付きの小銭入れを重ねて縫い付け、開閉はボタンで止める。別途にショルダー用の紐を設け、ボタンで取り外し可能なものにする。〔実施例〕【０００７】以下、添付図面に従って実施例を説明する。１は布製キルテング素材を用いたバック本体である。２はマチ部分、３は開口部で中央、及び４、５、は両測面でマチ部分をひだにして、ボタンで止める。６は持ち手を前後に付けたものである。７はショルダー用の紐をたすき掛け出来る長さとし調節可能なボタン止めとする。８はバック内面で、９は布製のハリのあるしっかりした素材を用いた財布である。１０はファスナーを用いてつまみ部分の飾りを掴んで開閉する。１１は同布で蓋付き小銭入れを縫い付ける。１２の開閉はボタンで止める。１３は財布の内面にカード入れ、１４は保険証等を収納するポケットで、１５は札を入れる。
【図面の簡単な説明】
【０００８】
【図１】本考案の財布付きバックの実施例を示す正面図である。
【図２】本体バック内面に財布を縫い付けた断面図である。
【図３】財布の内面に札、カード、保険証等を収納した開口図である。
【符号の説明】
【０００９】１    バック本体                              １２  ボタン止め２    マチ部分                                １３  カード入れ３    バック中央ボタン止め                    １４  保険証入れ４、５、両側ボタン止め                        １５  札入れ６    持ち手紐７    ショルダー用紐及びボタン止め８    バック本体の内面９    財布１０  ファスナー及び飾り１１  小銭入れ
【図１】
0003105810.tif 000003
【図２】
0003105810.tif 000004
【図３】
0003105810.tif 000005